(57)【特許請求の範囲】
【請求項１】
捕集フード（４）と、該捕集フード（４）を上昇管口（２）へ装着させるための捕集フード装着装置（５）と、捕集フード（４）に連通せる接続ダクト（７）と、該接続ダクト（７）に連通せるエゼクタ（９）と、エゼクタ（９）に連通せるサイクロン（１０）を装炭車等の炉頂走行車両（１）上に搭載し、接続ダクト（７）に吸引圧調整用の風量調整ダンパー（６）を設け、エゼクタ(９)の前段に該エゼクタ（９）に圧縮空気を供給するエアコンプレッサ（８）を設置し、サイクロン（１０）の前段に冷却スプレー装置（１１）を設置し、サイクロン（１０）で回収された粉塵はコンベヤ（１３）により装炭車等の炉頂走行車両（１）上に搭載されているホッパ（１２）へ回収されることを特徴とする上昇管口から飛散するソフトカーボン回収装置。
【発明の詳細な説明】
【０００１】
【発明の属する技術分野】
この発明は、コークス炉の上昇管口から飛散するソフトカーボンの回収装置に関する。
【０００２】
【従来の技術】
コークス炉の操業において、炉室内の赤熱コークスを押出機で押出した後、炉壁に付着しているカーボンを除去する際、装炭車等の炉頂走行車両に設置されている空気吹き込みランスを石炭装入口から炉室内に挿入し、該ランスから圧縮空気を炉壁に吹き付けて炉壁に付着しているカーボンの剥離除去作業が行なわれている。その際、開放された上昇管口から８００〜９００℃の高温のソフトカーボンが放散され、炉頂ないし周辺に飛散し作業生活環境を汚染悪化させると同時に、場合によっては高温のソフトカーボンが発火原因となり火災を引起こす等の危険であった。
【０００３】
そこで、従来は図５に示すように、装炭車その他カーボン燃焼台車１に搭載した小型のクレーン２０で金網篭２１を上昇管口２の頂部から吊り下げ、上昇管口を掩蔽しソフトカーボンの飛散防止を図っていた。
しかしながら、この方法ではランス３から噴出される清掃用圧縮空気により、上昇管口２から勢いよく排出されるガスに含まれる細かな粉塵は金網篭２１の網目から飛散し、網目でさえぎられる大きなカーボン塊は網面に衝突し、その衝撃により粉砕されて網目を通過しコークス炉の周辺に飛散していた。
また、繰返し使用しているうちに金網篭２１が熱変形ないし損傷して使用できなくなる等の問題点があった。
【０００４】
【発明が解決しようとする課題】
この発明は、上記従来の問題点を改良し、上昇管口より飛散するソフトカーボンを含む粉塵がコークス炉周辺に飛散することがなく完全に回収される装置を提供することを目的とするものである。
【０００５】
【課題を解決するための手段】
捕集フード４と、該捕集フード４を上昇管口２へ装着させるための捕集フード装着装置５と、捕集フード４に連通せる接続ダクト７と、該接続ダクト７に連通せるエゼクタ９と、エゼクタ９に連通せるサイクロン１０を装炭車等の炉頂走行車両１上に搭載し、接続ダクト７に吸引圧調整用の風量調整ダンパー６を設け、エゼクタ９の前段に該エゼクタ９に圧縮空気を供給するエアコンプレッサ８を設置し、サイクロン１０の前段に冷却スプレー装置１１を設置し、サイクロン１０で回収された粉塵はコンベヤ１３により装炭車等の炉頂走行車両１上に搭載されているホッパ１２へ回収されることを特徴とする。
【０００６】
【発明の実施の形態】
図１ないし図４にこの発明にかかるソフトカーボン回収装置の１実施例を示す。図１はソフトカーボン回収装置の説明図、図２は上昇管口とソフトカーボン回収装置の接続部の説明図、図３は捕集フード装着装置の詳細説明図、図４は図３のＡ−Ａ断面図である。
【０００７】
この発明にかかるソフトカーボン回収装置は、ソフトカーボンを吸引捕集する捕集フード４と、該捕集フード４を上昇管口２へ装着させるための捕集フード装着装置（図示の実施例ではフード回転用シリンダを採用している。）、吸引圧調整用の風量調整ダンパー６を有する接続ダクト７、エヤコンプレッサ８からの圧縮空気で作動されるエゼクタ９と、サイクロン１０、および、サイクロン１０の前段で高温ソフトカーボンガスを冷却かつ、塊粒化させてサイクロンでの捕集効果を向上させるための冷却水スプレー装置１１と、サイクロンで回収された粉塵をホッパー１２へ搬送するためのコンベヤ１３とで構成されている。
なお、１１1は冷却水タンク、１１2は昇圧ポンプ、１１3はスプレーノズルで ある。
【０００８】
大略上記構成からなるソフトカーボン回収装置は、図２に示すようにコークス炉装炭車（装炭車に限らず炉頂走行車両）１上に搭載されている。押出機により炉室からコークス押出後、ランス３から圧縮空気吹き付けによる炉壁の清掃作業が開始されるが、該作業に際し、上昇管口蓋２'を開き、捕集フード４を捕集フ ード装着装置５を作動させて、上昇管口上方位置へ移動させる。捕集フード装着装置５の詳細構造は図３、図４に示すように捕集フード４の出口端は回転筒４' に連通されており、該回転筒４'は接続ダクト７から垂下されている連通筒７'の外周に上端部は軸受け１４により、下端部はパッキング装置１５により回動可能に装着されており、連通筒７'に穿設した連通孔７"が回転筒４'に連通されてい る。回転筒４'の外周壁からアーム４"が突設されており、装炭車上に設置されたシリンダ５'のシリンダロッド５"の先端部にアーム４"の先端部が軸着されてい る。
【０００９】
図示の捕集フード装着装置はシリンダロッドの伸縮運動によって連通筒７'の 周りに回転筒４'を回動させて捕集フード４を上昇管口位置へ回動させるタイプ であるが、捕集フード４の水平管部分がとテレスコピック式の伸縮筒ないし蛇腹筒のような直線運動可能な筒体で連通筒７'に連通されており、シリンダロッド の伸縮運動により捕集フードを装炭車の走行方向と直角方向に直進させるようにしてもよい。
【００１０】
捕集フード４が上昇管口２に装着されると、エヤコンプレッサ８を起動し電動バルブ８'を開くとエゼクタ９が作動し、上昇管口２から排出されるソフトカー ボンを含有する粉塵は捕集フード４から連通筒７'に入り接続ダクト７を経由し てエゼクタ９に吸引される。エゼクタ９から放出された粉塵ガスは、サイクロン１０に入りサイクロン１０により粉塵がサイクロン塔体下方に沈降堆積し回収され、粉塵を含まないクリーンガスはサイクロン頂部から大気中に排出される。
接続ダクト７に設置した風量調整ダンパー６を開口調整することにより空気取り入れ口から大気を吸引し、捕集フード４からの高温の粉塵ガスに混入されて粉塵ガスが冷却される。
【００１１】
粉塵ガスがサイクロンで処理される前段で、粉塵ガス中に昇圧ポンプ１１2で 昇圧された冷却水をスプレーノズル１１3から噴霧することにより、粉塵ガスが 更に冷却されるとともに、ソフトカーボンが塊粒化されサイクロンでの回収効率を向上させることができる。
サイクロン塔体下方に沈降堆積し回収された粉塵は取出口からチューブラコンベヤ等のコンベヤ１３により装炭車の給炭ホッパーまたは粉塵回収用ホッパー等炉頂走行車両に搭載されているホッパー１２へ回収される。
【００１２】
【発明の効果】
この発明によれば、炉壁清掃時上昇管口から噴出される粉塵ガス中のソフトカーボンはコークス炉周辺に飛散することなく完全に回収されるので、生活作業環境を汚染させることがなく、火災等のトラブルを引起こす恐れはない。
【図面の簡単な説明】
【図１】この発明にかかるソフトカーボン回収装置の説明図。
【図２】この発明にかかる上昇管口とソフトカーボン回収装置の接続部の説明図。
【図３】この発明にかかる捕集フード装着装置の詳細説明図。
【図４】図３のＡ−Ａ線断面図。
【図５】従来のソフトカーボン回収装置の説明図。
【符号の説明】
１    装炭車等炉頂走行車両
２    上昇管口
３    ランス
４    捕集フード
４'   回転筒
４"   アーム
５    捕集フード装着装置
５'   シリンダ
５"   シリンダロッド
６    風量調整ダンパー
７    接続ダクト
７'   連通筒
７"   連通孔
８    エヤコンプレッサ
８'   電動バルブ
９    エゼクタ
１０    サイクロン
１１    スプレー装置
１１1   水タンク
１１2   昇圧ポンプ
１１3   スプレーノズル
１２    ホッパー
１３    コンベヤ
１４    軸受
１５    パッキング装置
２０    クレーン
２１    金網篭
【図１】
0004070278.tif 000002
【図２】
0004070278.tif 000003
【図３】
0004070278.tif 000004
【図４】
0004070278.tif 000005
【図５】
0004070278.tif 000006